(57)【要約】【課題】作業が簡単で早く移動及び免震機能のロックができる移動用キャスターを備えた免震装置１を提供。【解決手段】互いに水平移動可能にされた上下プレート２，３と、下プレートに設けられたキャスター５と、基盤（床）５０に対して離隔又は接地固定されるジャッキ７と、上下プレートの水平方向移動を阻止可能な固定装置３０と、を備え、ジャッキが床に接地固定された時は固定装置による上下プレートの阻止を解除し、キャスターにより移動可能にされているときは上下プレートの水平方向移動を阻止し、ジャッキの上下と固定装置の阻止と解除とを機械的又は電気的に連動させる。固定装置３０は、ピン部１０を係止部１３に係止させ、ピン部をジャッキの上端に一体に設ける。ジャッキはスプリング１２で床側に付勢され、レバー１５で上下可能にされる。レバーは、保持プレート２３の切り欠き２４に保持ピン２１を係止させ位置保持させる。【選択図】        図１
2006183708.tif 000002
【特許請求の範囲】
【請求項１】
地震より保護すべき物品が載荷される上プレートと、上プレートと水平方向に相対移動可能にされた下プレートとからなる免震装置において、
基盤に対して移動可能に前記下プレートに設けられたキャスターと、前記下プレートに設けられ前記基盤に対して離隔又は接地固定可能にされたジャッキと、前記上プレートと前記下プレートの水平方向への相対移動を阻止可能にされた固定装置と、を備え、
前記ジャッキが前記基盤と接地固定位置では前記固定装置による阻止が解除され、前記相対移動が可能とされ、
前記ジャッキが前記基盤との接地固定位置より上昇し前記基盤と離隔又は所定量以上離隔した位置で前記キャスターにより前記免震装置が移動可能にされ、同時に又はその後前記固定装置により前記相対移動が阻止され、
前記ジャッキが前記所定量以上離隔した位置より下降し前記基盤と接地固定される位置の手前の所定量位置と前記基盤と接地固定する位置との間で前記固定装置による阻止が解除され前記相対移動が可能にされ、
前記ジャッキの位置と前記固定装置の阻止又は解除とが機械的又は電気的に連動するようにされていることを特徴とする免震装置。
【請求項２】
前記固定装置は、下プレート側に設けられ上下方向移動可能に先端が棒状にされたピン部と、上プレートの下面に設けられた係止部と、からなり、前記ピン部を前記係止部に係止させることにより、上下プレートの相対水平方向移動を阻止するようにされており、前記ジャッキは前記ピン部を上端に備え、前記下プレートに設けられた上下方向の案内部に前記基盤に対し上下方向に移動可能に案内されていることを特徴とする請求項１記載の免震装置。
【請求項３】
前記ジャッキに一端が接続され、下プレートに設けられた支点をてこにして、前記ジャッキを上下可能にするレバーが設けられていることを特徴とする請求項２記載の免震装置。
【請求項４】
前記ジャッキは押圧部材により下方に付勢されており、前記レバーにはジャッキ上方位置で前記押圧部材に抗して前記ジャッキの位置を保持するようにされた保持装置が設けられていることを特徴とする請求項３記載の免震装置。
【請求項５】
前記押圧部材はスプリングであり、前記保持装置は前記レバーの支点より反ジャッキ側位置に設けられた保持ピンと、上部が下プレートに軸支され横辺が反ジャッキ側に伸びる略Ｌ字形プレートであって、Ｌ字部の内側の縦辺下方に前記保持ピンが係止可能にされた下方に開口する切り欠きが設けられた保持プレートと、前記保持プレートをＬ字横辺方向へ付勢する保持スプリングと、からなり、前記保持ピンが前記保持プレートのＬ字縦辺内側と前記切り欠き部間を移動可能に配置されていることを特徴とする請求項４記載の免震装置。
【発明の詳細な説明】
【技術分野】
【０００１】
本発明は、移動用キャスターを備えた免震装置の固定装置に関する。
【背景技術】
【０００２】
従来、美術品の展示ケース、陳列棚（ショーケース）、コンピューターサーバー等を地震災害等から保護するため種々の免震装置がある。一般には上プレートに美術品等を載置し、地面、床等の基盤上に下プレートを固定設置し、上プレートと下プレートの間に、免震支承、例えば、曲面皿を互いに凹面を対向させボールを皿間で転動させる免震支承、あるいは、Ｘ，Ｙ軸方向に配置した曲面レール上をローラーを転動又は摺動部材を摺動させる免震支承、さらには、レール上を偏心ころ又はボールを用いて転動させる免震支承等、種々の免震支承により、地震による水平方向の振動を防止し、自動復帰させている。
【０００３】
しかし、これら展示ケース等は、移動を伴うことが多い、そこで、免震装置にキャスターを設けて移動できるようにしている。例えば特許文献１のものにおいては、下プレートである底板に４個のストッパー付きキャスターを設けて移動可能にするとともに、上下プレート間に吊り下げタイプの免震支承を設けている。移動時にはキャスターのストッパーを開放させ、固定時にはストッパーを効かせて下プレート（床板）を固定している。さらに、免震ゴム等を用いている。しかし、このものではストッパーによりキャスターを固定しているので、キャスターの垂直軸回りの回転や、車輪と床との滑りにより全体が移動してしまう虞がある。
【０００４】
そこで、特許文献２においては、上下プレート間に偏心ローラ等を設けて免震支承とし、抵抗板によるブレーキ装置や、微少振動時には上下プレートの動きを阻止し、所定の振動に達したら免震支承が働くようにされたトリガー等を設ける一方、下プレート（下部台枠）にねじで上下するアジャスターを取付け、アジャスターを回転させることによりアジャスターを下方に伸ばし、基盤（床）に押しつけて下プレートを持ち上げ、キャスターを浮かせることにより下プレートをアジャスターで固定するようにしている。また、特許文献３のものにおいては、アジャスターそのものを摺動させるようにして免震装置としている。一方、特許文献４やその他の免震装置において、移動時に上下プレートの水平方向の相対移動を阻止するため固定装置が種々知られている。
【特許文献１】特開平９−９４６６７号公報
【特許文献２】特開平１０−２８１２１７号公報
【特許文献３】特開平５−３０２６４４号公報
【特許文献４】特開平１１−２８０８３６号公報
【発明の開示】
【発明が解決しようとする課題】
【０００５】
しかし、特許文献２、３のように、アジャスターによりキャスターを浮き上がらせる場合は、少なくとも４カ所の高さ調整を必要とし、時間もかかり、作業が面倒である。また、アジャスターを紛失する虞がある。また、特許文献３のものでは紛失防止のため複雑な構造となり、また、アジャスターによる摺動であるので積載能力、免震性能が低いという問題があった。移動を必要とする期間の長いものであればよいが、展示期間が短いものでは機動性に欠けるという問題があった。さらに、医療器具の場合、特に腎臓透析医療器具のように、人間の移動と共に頻繁に移動を必要とするものにあっては、免震性能が必要であるばかりでなく、移動性能も必要である。また、特許文献４に記載のように、移動に当たっては、上下免震プレートが水平移動しないように免震機能をロックするが、構造が複雑で手間がかかるという問題があった。
【０００６】
本発明の課題は、かかる問題点に鑑みて、より早く、作業が簡単で移動及び免震機能のロックが可能な、移動用キャスターを備えた免震装置を提供することである。
【課題を解決するための手段】
【０００７】
本発明においては、地震より保護すべき物品が載荷される上プレートと、上プレートと水平方向に相対移動可能にされた下プレートとからなる免震装置において、基盤に対して移動可能に前記下プレートに設けられたキャスターと、前記下プレートに設けられ前記基盤に対して離隔又は接地固定可能にされたジャッキと、前記上プレートと前記下プレートの水平方向への相対移動を阻止可能にされた固定装置と、を備え、前記ジャッキが前記基盤と接地固定位置では前記固定装置による阻止が解除され、前記相対移動が可能とされ、前記ジャッキが前記基盤との接地固定位置より上昇し前記基盤と離隔又は所定量以上離隔した位置で前記キャスターにより前記免震装置が移動可能にされ、同時に又はその後前記固定装置により前記相対移動が阻止され、前記ジャッキが前記所定量以上離隔した位置より下降し前記基盤と接地固定される位置の手前の所定量位置と前記基盤と接地固定する位置との間で前記固定装置による阻止が解除され前記相対移動が可能にされ、前記ジャッキの位置と前記固定装置の阻止又は解除とが機械的又は電気的に連動するようにされている免震装置を提供することにより前述した課題を解決した。
【０００８】
即ち、ジャッキを基盤に対して上下（離隔又は接地固定）させることにより、免震装置全体をジャッキで固定又はキャスターによる移動を選択的に行うようにさせ、ジャッキの位置に応じて上下プレートの水平方向の相対移動の阻止又は阻止の解除を連動させるようにしたので、キャスターを用いて免震装置全体を移動させるときには、固定装置により上下プレートが固定され、水平方向の相対移動が阻止される。また、免震機能が必要な所定の場所ではジャッキにより免震装置全体を固定して、上下プレートの水平方向の相対移動の固定装置による阻止を解除して上下プレートを水平方向へ相対移動可能にして免震機能を発揮させ、免震装置として機能する。
【０００９】
かかる機構については、電気的な信号を用いて、電気モータやリニア駆動、油圧等の種々のアクチュエータで実施することができる。しかし、使用頻度やコストの面からは、より安価で構造、操作が簡単な方が好ましい。そこで、請求項２に記載の発明においては、前記固定装置は、下プレート側に設けられ上下方向移動可能に先端が棒状にされたピン部と、上プレートの下面に設けられた係止部と、からなり、前記ピン部を前記係止部に係止させることにより、上下プレートの相対水平方向移動を阻止するようにされており、前記ジャッキは前記ピン部を上端に備え、前記下プレートに設けられた上下方向の案内部に前記基盤に対し上下方向に移動可能に案内されている免震装置とした。
【００１０】
ジャッキの上部にピン部を設けて上プレートの係止部に係止させるようにしたので、ジャッキを上下させるだけで、キャスターの上下と上下プレートの水平方向移動の解除と阻止とが同時に行われる。即ち、ジャッキが伸びる（下へ移動する）とピン部は係止部から離れ、ジャッキが基盤（床）に接地され固定される。このときキャスターには減じられた荷重がかかるか、又は浮き上がるようにされ、ジャッキにより免震装置全体が固定される。ジャッキが縮む（上へ移動する）とピン部が係止部に係止し、キャスターが免震装置全体を受け、キャスターにより免震装置全体が移動可能にされる。
【００１１】
また、請求項３に記載の発明においては、前記ジャッキに一端が接続され、下プレートに設けられた支点をてこにして、前記ジャッキを上下可能にするレバーが設けられている免震装置とした。これにより、簡単な構造でジャッキの操作ができる。なお、歯車を用いたり、前述した種々のアクチュエータでもよいことはいうまでもない。
【００１２】
さらに、請求項４に記載の発明においては、前記ジャッキは押圧部材により下方に付勢されており、前記レバーにはジャッキ上方位置で前記押圧部材に抗して前記ジャッキの位置を保持するようにされた保持装置を設ける。これにより、ジャッキを上方に保持していない状態では、常にジャッキは基盤（床）に押しつけられており、免震装置を確実にその場に固定される。このとき、上下プレートの相対移動を阻止する固定装置は解除されているので、地震等の振動から上プレート及び上プレートに載置された品物を保護する。ジャッキの上方位置ではレバーと保持装置によりジャッキが上方で保持され、キャスターによる免震装置の移動を可能とし、また、固定装置により上下プレートの相対移動が阻止され、移動時に上下プレートが相対移動することがない。
【００１３】
さらにまた、請求項５に記載の発明においては、前記押圧部材はスプリングであり、前記保持装置は前記レバーの支点より反ジャッキ側位置に設けられた保持ピンと、上部が下プレートに軸支され横辺が反ジャッキ側に伸びる略Ｌ字形プレートであって、Ｌ字部の内側の縦辺下方に前記保持ピンが係止可能にされた下方に開口する切り欠きが設けられた保持プレートと、前記保持プレートをＬ字横辺方向へ付勢する保持スプリングと、からなり、前記保持ピンが前記保持プレートのＬ字縦辺内側と前記切り欠き部間を移動可能に配置されている免震装置とした。押圧部材をスプリングとし、保持装置も下プレートに軸支されたＬ字方の保持プレート、保持スプリング、レバーの保持ピンからなる簡単な構造である。
【発明の効果】
【００１４】
本発明においては、ジャッキと固定装置を連動させ、ジャッキを上下させるだけで、キャスターを用いて免震装置全体を移動させるときには、ジャッキを上昇させ固定装置により上下プレートを固定し、免震機能が必要な所定の場所ではジャッキを下降させ基盤（床等）に固定させ、上下プレートの水平方向への相対移動を可能として免震機能を発揮するようにしたので、作業が早く、簡単で移動時の免震機能のロックが可能な移動用キャスターを備えた免震装置となった。また、アジャスターのように紛失することもない。また、固定時や移動時に免震装置の固定状態をいちいち確認する必要がなく取扱が楽である。
【００１５】
また、請求項２に記載の発明においては、上部にピン部を設けたジャッキを上下させるだけで、免震装置全体のキャスターによる移動と上下プレートの水平方向移動の阻止、ジャッキによる固定と上下プレートの水平方向移動の阻止の解除とを連動して行えるようにしたので、構造が簡単で、故障が少なく、高さや位置調整も容易なものとなった。
【００１６】
さらに、請求項３に記載の発明においては、下プレートに設けられた支点をてこにして、ジャッキを上下させるレバーを固定可能に設けたので、手作業での操作ができ、低コストで電気ノイズや電磁波等の発生もなく病院等での使用も可能な免震装置となった。
【００１７】
さらに、請求項４に記載の発明においては、ジャッキを保持していない状態で免震装置全体が固定され、ジャッキ上方位置でキャスターにより免震装置全体が移動可能にされるが、保持装置によりレバーを保持するようにしているので移動時にジャッキの位置を気にすることなく移動作業ができる。
【００１８】
さらにまた、請求項５に記載の発明においては、押圧部材をスプリングとし、保持装置は下プレートに軸支されたＬ字方の保持プレート、保持スプリング、レバーの保持ピンからなる簡単な構造なので、安価で、取扱が容易で、頻繁な移動でも苦にならないという効果を奏するものとなった。
【発明を実施するための最良の形態】
【００１９】
本発明の実施の形態について図を参照して説明する。図１は本発明の実施の形態を示す免震装置の移動時の部分断面図、図２は固定時の部分断面図である。図１，２に示すように、本発明の免震装置１は、地震より保護すべき物品４が載荷される上プレート２と、上プレートと水平方向に相対移動可能にされた下プレート３とからなる。下プレート３は基台部３ａと基台部の上部に設けられた取付板３ｂとが設けられている。基台部３ａの下側の４隅にキャスター５が設けられ、免震装置１がキャスターにより基盤（床）５０上を移動可能にされている。下プレート３の上部に上下方向に摺動面を有する案内部６が設けられており、ジャッキ７の上側に一体に設けられ先端が棒状にされたピン部１０が案内部６に沿って上下方向に摺接移動可能にされている。ジャッキ７の下側は箱状にされ、箱状の箱部８の下面８ａは摩擦部材としてゴム９が張られている。
【００２０】
ピン部１０は下プレートの基台部３ａに空けられた貫通穴１１を通って上プレート側に突出している。貫通穴１１にはスプリング（押圧部材）１２が挿入され、スプリングの上端は取付板３ｂに当接し、下端が箱部８の上側に当接するようにされジャッキ７を下方に付勢している。図２に示すように、スプリング１２の付勢力により、ジャッキ７は基台（床）５０に押圧され、免震装置１が床に固定される。このとき、スプリング力の大小により、キャスター５に分配される免震装置の荷重を変化させることができる。図においては、キャスター５は接地しているが、さらに大きなスプリング力にしてキャスターを浮き上がらせてもよいことはいうまでもない。
【００２１】
上プレート２の下側面２ａには上下プレートの合致位置で丁度ピン部１０がほぼ一致する位置に図示しないテーパ状の案内部を有する凹部が設けられ係止部１３を形成し、固定装置３０を構成している。ピン部１０の先端が係止部１３に係止されることにより、上下プレート２，３の水平方向の移動が阻止される。下プレート３の基台部３ａの側面に設けられた支点１４を支点にして、横から見て逆Ｌ字状のレバー１５が取付られている。レバー１５の短い方の一端１５ａはジャッキ７の箱部８のほぼ中央上部のピン８ｐに軸支されている。図１に示すように、レバー１５を右は傾けることによりジャッキ７は上へ移動し、図２に示すように、レバーを左へ傾けることによりジャッキは下へ移動する。ジャッキ７が基盤（床）５０に接した位置ではピン部１０は係止部１３より離れ、ジャッキが基盤（床）よりやや離れた位置ではピン部が係止部に係止されるようにされ、固定装置３０とジャッキ７の位置とが機械的に連動されている。
【００２２】
レバー１５の支点１４より反ジャッキ側位置に保持ピン２１が設けられている。この保持ピン２１に当接するように、上部が下プレート３（の基台部３ａ）に設けられた回転ピン２２に軸支され横辺２３ａが反ジャッキ側に伸びる略Ｌ字形プレートの保持プレート２３が設けられている。保持プレート２３のＬ字部の内側の縦辺２３ｂの下方に下方に開口する切り欠き２４が設けられている。保持プレート２３と基台部３ａとの間に保持スプリング２５が狭持され、保持プレートをＬ字横辺方向（図で右方向）へ付勢するようにされている。保持ピン２１が保持プレート２３のＬ字縦辺２３ｂの内側と切り欠き３４間を移動可能にされ、切り欠き３４に保持ピン２１が嵌合した場合は、保持スプリング２５によりそのまま嵌合固定される。保持プレート２３の横辺２３ａを図で左側に移動させることにより保持ピン２１を切り欠き３４から解放させることができるようにされている。図１に示すように、保持プレート２３、保持ピン２１、保持スプリング２５により、ジャッキ７の上方位置でスプリング１２に抗してジャッキの位置を保持する保持装置２０を構成している。
【００２３】
上プレート２の下側面２ａには四隅に凹部１６ａを下向きにした球面座１６が設けられ、下プレート３の上側面の取付板３ｂには四隅に凹部１６ａを上向きにした球面座１６が設けられており、上下の球面座間１６に転動可能にボール１７がそれぞれ設けられている。図２に示すように、上下プレートがピン部１０と係止部１３とで係止されていない状態では、ボール１７が転動することにより上下プレート２，３が水平方向に相対移動できるようにされ球面皿１６とボール１７からなる球面座タイプの免震支承４０を構成している。また、球面座であるので、外力が無ければ球面座の中心にボール１７が復帰し、自動復帰機能を有する。かかる免震機構については従来と同様であるので、説明を省略する。
【００２４】
次に本発明の実施の形態の作動について説明する。図１に示すように、免震装置１の移動時においては、レバー１５を図でみて右側に倒してスプリング１２に抗してジャッキ７を上昇させ、床５０から離隔すると、ジャッキの上部のピン部１０が係止部１３に係止され、上下プレート２，３が固定される。一方、ジャッキ７の上昇に伴いキャスター５が免震装置の全荷重を受け、免震装置１のキャスターによる移動が可能となる。また、移動時にはレバー１５の保持ピン２１を保持装置２０の保持プレート２３の切り欠き２４に嵌合させレバー位置を保持固定できる。これにより、上下プレート３，４を固定しながら、簡単に免震装置の移動ができる。また、レバー１５を基台部３ａの両側から張り出すようにしてハンドル状にして、移動用ハンドルと兼用すれば、保持装置とハンドルを共用でき、操作も容易で小型にできる。なお、上下プレートのいずれかに、移動棒、ハンドル等を設けたりしてもよい。また、上プレート２と載荷物品４とがしっかり固定されていれば、載荷物品４を押す等しても移動可能である。
【００２５】
次に、免震装置を所定の場所に移動した後、図２に示すように、保持レバー２３を保持スプリング２５に抗して押し、切り欠き２４から保持ピン２１を離脱させ、レバー１５を左側に倒してジャッキ７を下降させ、床５０に接地させる。このとき、ジャッキの上部のピン部１０が係止部１３より外れ、上下プレート２，３の阻止が解除される。一方、ジャッキ７はスプリング１２により床に押圧され、免震装置が床に固定される。また、ジャッキ７の接地により、キャスター５の免震装置の分配荷重が減少する。なお、スプリング１２の強度によってはキャスター５を床５０から離隔することも可能である。スプリング１２によりジャッキ７は床５０に押圧固定され、レバー１５もジャッキの位置の応じた位置で固定され、上下プレート２，３の相対移動も可能となる。これにより、免震装置１を所定の場所に固定すると同時に免震機能を即獲得することができるのである。なお、レバー１５を保持ピン２１の反ジャッキ側部分で着脱可能とすれば展示や、機器の設置時に邪魔にならないようにできる。
【００２６】
このように、レバー１５の操作により、ジャッキ７を上下させ、免震装置１のキャスター５による移動、又は下プレート３の床への固定に応じて、上下プレートの水平方向への移動の阻止、又は解除を行うことができ、免震装置の移動、固定の操作が確実で容易なものとなった。
【００２７】
なお、本実施の形態においては、上下皿とボールタイプの免震支承４０を用いた例を示したが、レールタイプ、弾性材タイプ等の種々の免震支承を適用できることはいうまでもない。また、ダンパーやブレーキ装置、上下プレートの回転防止機構、固定時のロック装置等々を別に設ける等、従来の機能を適宜付加してもよいことはいうまでもない。また、実施の形態においては、ジャッキ７をスプリング１２で押圧して床５０に固定したが、レバーにより強制的に免震装置を持ち上げ固定して設置する等してもよい。
【図面の簡単な説明】
【００２８】
【図１】本発明の実施の形態を示す免震装置の移動時の部分断面図である。
【図２】本発明の実施の形態を示す免震装置の固定時の部分断面図である。
【符号の説明】
【００２９】
１    免震装置
２    上プレート
２ａ  上プレートの下面
３    下プレート
４    物品
５    キャスター
６    案内部
７    ジャッキ
１０  ピン部
１２  押圧部材（スプリング）
１３  係止部
１４  支点
１５  レバー
１５ａ  一端
２０  保持装置
２１  保持ピン
２３  保持プレート
２３ａ  横辺
２３ｂ  縦辺
２４  切り欠き
２５  保持スプリング
３０  固定装置
５０  基盤（床）
【図１】
2006183708.tif 000003
【図２】
2006183708.tif 000004